(57)【要約】【課題】必要な情報を迅速に取得することを可能にし、かつ情報の種類に応じて取得に要する最大時間の調節を可能にする。【解決手段】設備機器の管理システムは、複数台の管理装置１０と総合管理装置２０とを備える。管理装置１０は、設備機器を管理する。総合管理装置２０は、通信路４１を通して管理装置１０にアクセスすることにより、管理装置１０から情報を受け取る。情報は複数種類に分類されている。総合管理装置２０は、管理装置１０にアクセスする頻度を情報の種類に応じて段階的に変化させ、情報のうちの特定情報については、すべての管理装置１０に定期的にアクセスする。【選択図】図１
2016005012.tif 000002
【特許請求の範囲】
【請求項１】
設備機器を管理する複数台の管理装置と、
通信路を通して前記管理装置にアクセスすることにより、前記管理装置から情報を受け取る総合管理装置とを備え、
前記情報が複数種類に分類されており、
前記総合管理装置は、前記管理装置にアクセスする頻度を前記情報の種類に応じて段階的に変化させ、前記情報のうちの特定情報については、すべての前記管理装置に定期的にアクセスする
ことを特徴とする設備機器の管理システム。
【請求項２】
前記情報の種類は、前記特定情報と、前記特定情報を除く一般情報とに分類され、
前記特定情報は、前記管理装置が認識する異常に関する情報を含む
請求項１記載の設備機器の管理システム。
【請求項３】
前記総合管理装置は、
前記情報の種類に応じて情報評価値が設定された記憶部と、
前記記憶部が記憶している情報評価値に応じて前記管理装置にアクセスする頻度を前記情報の種類ごとに定める総合処理部とを備える
請求項１又は２記載の設備機器の管理システム。
【請求項４】
前記総合処理部は、
他装置からの要求に応じて前記管理装置から前記情報を取得し、かつ前記情報の種類ごとに前記他装置からの前記要求の回数または頻度を前記記憶部に記憶させる機能と、
前記記憶部が記憶している前記情報の種類ごとの前記要求の回数または頻度を、前記情報評価値に変換する機能とを有する
請求項３記載の設備機器の管理システム。
【請求項５】
前記総合処理部は、
他装置からの要求に応じて前記管理装置から前記情報を取得し、かつ前記情報の種類ごとに前記他装置からの前記要求の回数または頻度を前記記憶部に記憶させる機能と、
前記管理装置が認識する異常に関する情報を受け取った回数または頻度を前記記憶部に記憶させる機能と、
前記記憶部が記憶している前記情報の種類ごとの前記要求の回数または頻度を、前記情報評価値に変換する機能とを有する
請求項３記載の設備機器の管理システム。
【請求項６】
前記総合処理部は、前記記憶部に設定された前記情報評価値のうち上位の規定個数に対応する前記情報を前記特定情報に定める機能を有する
請求項３〜５のいずれか１項に記載の設備機器の管理システム。
【請求項７】
設備機器を管理する複数台の管理装置に総合管理装置が通信路を通してアクセスすることにより、前記総合管理装置が前記管理装置から情報を受け取る方法であって、前記情報が複数種類に分類されており、前記総合管理装置は、前記管理装置にアクセスする頻度を前記情報の種類に応じて段階的に変化させ、かつ前記情報のうちの特定情報については、すべての前記管理装置に定期的にアクセスすることを特徴とする設備機器の管理方法。
【請求項８】
設備機器を管理する複数台の管理装置と通信路を通して通信するインターフェイス部と、
前記通信路を通して前記管理装置にアクセスすることにより、前記管理装置から情報を受け取る総合処理部と、
前記情報が複数種類に分類されており、前記情報の種類に応じて情報評価値が設定された記憶部とを備え、
前記総合処理部は、
前記記憶部が記憶している情報評価値に応じて前記管理装置にアクセスする頻度を前記情報の種類に応じて段階的に変化させ、前記情報のうちの特定情報については、すべての前記管理装置に定期的にアクセスするように構成されている
ことを特徴とする総合管理装置。
【発明の詳細な説明】
【技術分野】
【０００１】
本発明は、複数の設備機器を集中的に管理する設備機器の管理システム、この管理システムで用いる設備機器の管理方法、この管理システムにおいて用いられる総合管理装置に関する。
【背景技術】
【０００２】
従来、空調設備、照明設備のような複数の設備機器を集中的に管理する管理システムが提供されている（たとえば、特許文献１参照）。特許文献１には、端末がホスト計算機からの指示に従って配下の設備機器を制御し、また、端末が配下の設備機器について、オンオフ、計測値などの状態情報をホスト計算機に送出する技術が記載されている。また、端末は、配下の設備機器に関する状態情報を格納する状態登録用バッファと、警報メッセージを格納する警報メッセージ用バッファとを備えている。
【０００３】
特許文献１に記載された構成では、ホスト計算機が端末に対して、警報メッセージの有無を問い合わせるポーリングを定期的に行っている。警報メッセージの有無の問い合わせに対し、端末からの応答が警報メッセージが無いことを示していれば、ホスト計算機は該当する端末に状態情報を要求するポーリングを行う。一方、警報メッセージの有無の問い合わせに対し、端末からの応答が警報メッセージが有ることを示していれば、ホスト計算機は該当する端末に警報メッセージを要求するポーリングを行い、その後に、該当する端末に状態情報を要求するポーリングを行う。
【先行技術文献】
【特許文献】
【０００４】
【特許文献１】特開昭６１−１３３９９号公報
【発明の概要】
【発明が解決しようとする課題】
【０００５】
上述のように、特許文献１に記載された技術は、ホスト計算機は、端末に対して、警報メッセージの有無を問い合わせるためのポーリングを定期的に行い、警報メッセージが有る場合に警報メッセージを要求している。そのため、ホスト計算機は、警報メッセージを取得するために端末に対して２回のポーリングが必要になる。また、ホスト計算機が端末に有無を問い合わせるのは、警報メッセージのみであって、警報メッセージ以外に利用者が迅速な取得を望む情報が存在しても対応できない。
【０００６】
本発明は、必要な情報を迅速に取得することを可能にし、かつ情報の種類に応じて取得に要する最大時間の調節を可能にした設備機器の管理システムを提供することを目的とする。さらに、本発明は、この管理システムで用いる設備機器の管理方法、およびこの管理システムにおいて用いられる総合管理装置を提供することを目的とする。
【課題を解決するための手段】
【０００７】
本発明に係る設備機器の管理システムは、設備機器を管理する複数台の管理装置と、通信路を通して前記管理装置にアクセスすることにより、前記管理装置から情報を受け取る総合管理装置とを備え、前記情報が複数種類に分類されており、前記総合管理装置は、前記管理装置にアクセスする頻度を前記情報の種類に応じて段階的に変化させ、前記情報のうちの特定情報については、すべての前記管理装置に定期的にアクセスすることを特徴とする。
【０００８】
本発明に係る設備機器の管理方法は、設備機器を管理する複数台の管理装置に総合管理装置が通信路を通してアクセスすることにより、前記総合管理装置が前記管理装置から情報を受け取る方法であって、前記情報が複数種類に分類されており、前記総合管理装置は、前記管理装置にアクセスする頻度を前記情報の種類に応じて段階的に変化させ、かつ前記情報のうちの特定情報については、すべての前記管理装置に定期的にアクセスすることを特徴とする。
【０００９】
本発明に係る総合管理装置は、設備機器を管理する複数台の管理装置と通信路を通して通信するインターフェイス部と、前記通信路を通して前記管理装置にアクセスすることにより、前記管理装置から情報を受け取る総合処理部と、前記情報が複数種類に分類されており、前記情報の種類に応じて情報評価値が設定された記憶部とを備え、前記総合処理部は、前記記憶部が記憶している情報評価値に応じて前記管理装置にアクセスする頻度を前記情報の種類に応じて段階的に変化させ、前記情報のうちの特定情報については、すべての前記管理装置に定期的にアクセスするように構成されていることを特徴とする。
【発明の効果】
【００１０】
本発明の構成によれば、必要な情報を迅速に取得することが可能になり、かつ情報の種類に応じて取得に要する最大時間の調節が可能になるという利点がある。
【図面の簡単な説明】
【００１１】
【図１】実施形態を示す構成図である。
【図２】実施形態に用いる管理装置の構成例を示す概略図である。
【図３】実施形態に用いる総合管理装置の構成例を示すブロック図である。
【図４】実施形態の動作をシーケンス図で示す図である。
【図５】実施形態に用いる総合管理装置の動作をフローチャートで示す図である。
【図６】実施形態の動作をシーケンス図で示す図である。
【発明を実施するための形態】
【００１２】
以下に説明する設備機器の管理システムは、図１に示す構成を想定する。図１に示す構成例は一例であり、構成を限定する趣旨ではない。図１に示す構成例は、給水設備３１と給水設備３２と排水設備３３と空調設備３４の４種類の設備機器を管理の対象にする。給水設備３１は高置水槽方式であり、給水設備３２は圧力給水方式である。この管理システムは、設備機器の回路数が１００〜１０００程度である中小規模の施設で利用することを想定している。この程度の規模の施設は、延床面積が１０００〜１００００ｍ２程度であるオフィスビル、商業ビルなどに多く見られる。なお、以下に説明する技術は、中小規模の施設に限らず使用することが可能である。
【００１３】
給水設備３１、３２は施設全体で共用され、排水設備３３および空調設備３４は施設内で分散して設けられる。たとえば、給水設備３１と給水設備３２とは２組ずつ設けられ、排水設備３３と空調設備３４とは５組ずつ設けられる。管理システムは、給水設備３１と給水設備３２と排水設備３３と空調設備３４との１組に対して１台ずつの管理装置１０を備える。管理装置１０は、これらの設備機器の種類ごとに設けられ、管理装置１０は設備機器を種類ごとに管理する。管理装置１０は、有線の通信路４１を通して総合管理装置２０と接続される。通信路４１は、複数台（図示例では１４台）の管理装置１０で共有されている。
【００１４】
ところで、図示例では、空調設備３４は１組あたり複数台（図示例では７台）設けられており、個々の空調設備３４は、一対一に対応した制御装置１１にそれぞれ接続されている。また、制御装置１１は、管理装置１０と有線の通信路４２を通して接続される。１組の空調設備３４に対して１台の管理装置１０が設けられるから、管理装置１０は、通信路４２を通して複数台（図示例では７台）の制御装置１１と接続される。
【００１５】
通信路４１および通信路４２は、たとえば、ＲＳ４８５規格が用いられる。本実施形態では、通信路４１および通信路４２に、この規格を採用しているから、通信路４１および通信路４２は、２線式であって半二重で通信を行い、通信速度が最大で１０Ｍｂｐｓ程度（本実施形態では、９６００ｂｐｓ）である。
【００１６】
総合管理装置２０は、通信路４３を通して他装置としての端末装置２２と通信する。総合管理装置２０と端末装置２２との間では、オープン型通信プロトコルを用いた通信を行う。端末装置２２は、ブラウザを搭載したコンピュータであって、パーソナルコンピュータ、タブレット端末、スマートホンなどから選択される。また、図示していないが、総合管理装置２０は、インターネットのような汎用の電気通信回線を通して他装置としての端末装置と通信することが可能になっている。この端末装置は、端末装置２２と同様に構成される。
【００１７】
上述のように、通信路４３を通して総合管理装置２０と通信する端末装置２２、および汎用の電気通信回線を通して総合管理装置２０と通信する端末装置は、他装置として総合管理装置２０と通信する。他装置は、総合管理装置２０に対して、管理装置１０と情報の種類とを指定して情報の取得を要求する。また、総合管理装置２０は、他装置から指定された情報を取得すると、取得した情報を取得を要求した他装置に返し、当該他装置が備えるディスプレイ装置に表示させる。
【００１８】
総合管理装置２０は、通信路４１を通して管理装置１０と通信するほか、通信路４１を通して警報表示装置１２と通信する機能も有する。警報表示装置１２は、管理装置１０に設定されているアドレスに対応付けた警報ランプと、警報音を発生するブザーとを備えている。他装置からの要求によって総合管理装置２０が取得した情報が、管理装置１０において異常と認識される情報である場合には、総合管理装置２０は、他装置に情報を返すだけではなく、警報表示装置１２にも通知する。
【００１９】
警報表示装置１２は、管理装置１０が通信路４１に送出した信号を受信することによって、警報ランプおよびブザーを動作させる。警報表示装置１２は、管理装置１０に対して指示を与えることはなく、管理装置１０に設定されているアドレスと警報ランプとが対応付けられる。なお、管理装置１０は、種々の異常を認識することが可能であって、たとえば、管理装置１０が管理する設備機器に関する動作の異常のほか、総合管理装置２０との間の通信に関する異常なども認識する。
【００２０】
管理装置１０は、異常を認識したときには、該当する認識した異常の種類に関する情報を記憶し、総合管理装置２０から情報の受け渡しが要求されると、該当する情報に管理装置１０のアドレスを付加して通信路４１に送出する。警報表示装置１２は、通信路４１を伝送される信号が異常に関する情報を含む場合に、異常に関する情報に付加された管理装置１０のアドレスを用いて所要の警報ランプを点滅させ、同時にブザーを鳴動させる。つまり、警報表示装置１２は、異常に関する提示装置として機能する。
【００２１】
なお、図示例では、総合管理装置２０に通信路４４を通して外部入出力器１３が接続されている。外部入出力器１３は、スイッチ、センサなどからの接点入力を与える端子と、接点出力を取り出す端子とを備える。すなわち、外部入出力器１３は、総合管理装置２０に接点入力を与えることが可能であり、また、総合管理装置２０からの接点出力を取り出すことが可能である。したがって、外部入出力器１３が接続されていると、総合管理装置２０の動作に接点入力に応じた条件付けを行うことが可能になり、また、総合管理装置２０の動作を他装置に通知することが可能になる。ただし、この構成は要旨ではないから説明を省略する。
【００２２】
総合管理装置２０は、管理装置１０に対して制御あるいは監視のためのコマンドを送信し、かつ管理装置１０からの応答を受けるために、管理装置１０に対して通信路４１を通してアクセスする。総合管理装置２０が管理装置１０に対してアクセスする順序は後述する規則に従う。また、管理装置１０は、通信路４２を制御装置１１と通信する場合には、制御装置１１に対してアクセスする。管理装置１０が制御装置１１に対してアクセスする順序は、総合管理装置２０が管理装置１０に対してアクセスする順序と同様に後述する規則に従うことが望ましい。
【００２３】
なお、管理装置１０の台数や種類は選択可能であり、総合管理装置２０に接続される他装置も図示例に限定されない。本実施形態で説明する設備機器の管理システムは、空調設備３４に関してのみ管理装置１０に通信路４２を介して制御装置１１が接続されているが、他の設備機器について制御装置１１を設ける構成を採用してもよい。たとえば、設備機器として照明設備を含む場合に、照明設備に関して制御装置１１を設けることにより、階層化された通信網を形成することが望ましい。また、通信網を階層化する場合に２階層に限らず、３階層以上の階層化を行うことも可能である。
【００２４】
総合管理装置２０は、スケジュール制御および条件制御の機能も備える。スケジュール制御は、管理装置１０に与える指示の内容と指示を与える日時とを設定した制御である。スケジュール制御が選択されていると、設定された日時に設定された指示の内容が管理装置１０に通知される。また、条件制御は、管理装置１０が設備機器を監視することにより得られる情報に関する条件と、当該条件の成立時に与える指示の内容とを設定した制御である。条件制御が選択されていると、設備機器について監視している情報が設定された条件を満たしたときに、設定された指示の内容が管理装置１０に通知される。
【００２５】
総合管理装置２０に複数台の管理装置１０が接続されている場合には、総合管理装置２０は、異なる管理装置１０に接続されている設備機器を連携させて動作させることが可能である。たとえば、総合管理装置２０は、給水と排水とに過不足が生じない（バランスさせる）ように、給水設備３２と排水設備３３とに対応する管理装置１０を連携させる。管理装置１０を連携させる動作は、上述したスケジュール制御と条件制御とのいずれにおいても行うことが可能である。
【００２６】
複数の管理装置１０を連携させるには、連携させる管理装置１０に関する情報を共有する必要がある。そのため、総合管理装置２０は、連携させる管理装置１０から取得した情報を一括して格納する共有メモリ（図示せず）を備える。総合管理装置２０は、管理装置１０から情報を取得するたびに、共有メモリに格納した情報を更新し、共有メモリに格納された情報を用いて管理装置１０を制御する。
【００２７】
上述した動作例では、総合管理装置２０が、管理装置１０を通して設備機器を制御し、管理装置１０を通して設備機器の動作状態を監視している。すなわち、設備機器の管理を総合管理装置２０が集中的に行っている。そのため、総合管理装置２０は、異なる管理装置１０に接続された設備機器を関連付けて制御することが可能になっている。
【００２８】
一方、設備機器は、関連付けて制御する必要がない場合、あるいは、管理装置１０の範囲内で関連付けて制御すればよい場合がある。このような場合に、管理装置１０は、総合管理装置２０との通信を行わず、自律して設備機器を管理することが望ましい。つまり、管理装置１０は、設備機器を自律的に管理することが可能であり、かつ管理装置１０に総合管理装置２０が接続されていれば、総合管理装置２０により管理装置１０を管理することが可能になる。そして、複数台の管理装置１０が総合管理装置２０に接続されていれば、複数台の管理装置１０に接続された設備機器を連携して動作させることが可能になる。
【００２９】
ところで、管理装置１０は、図２に示すように、設備機器に接続される要素装置（コンポーネント）が収納されたボックス１０２を備える。要素装置は、設備機器の動作状態に関する制御と監視との少なくとも一方を行うために用いる装置であり、給電路に設けられる装置、マンマシンインターフェイスとなる装置を含む。通常、１種類の設備機器に対して、複数種類の要素装置が必要である。ボックス１０２は、設備機器の種類に応じた複数の要素装置を収納する。
【００３０】
図示例の管理装置１０は、要素装置として、コントローラ１００、ブレーカ１０１Ａ，マンマシンインターフェイス（以下、「ＭＭＩ」という）１０１Ｂ、インターフェイス部（以下、「Ｉ／Ｆ部」という）１０３を備える。Ｉ／Ｆ部１０３は、通信路４１を接続するための接続口（端子またはコネクタ）を備え、たとえばＲＳ４８５に準じた規格でシリアル通信を行う。Ｉ／Ｆ部１０３がＲＳ４８５に準じた規格でシリアル通信を行うことは必須ではないが、設備機器の制御における実績に基づいてこの規格を採用している。
【００３１】
設備機器の制御は、設備機器の運転および停止の制御のほか、運転中の動作状態の制御を含む場合もある。運転中の動作状態は、給水設備３１、給水設備３２、あるいは排水設備３３については、ポンプの流量などを意味し、空調設備３４については、設定温度などを意味する。また、設備機器が照明設備であれば、運転中の動作状態は、調光率、発光色などを意味する。また、設備機器の監視は、制御を指示した設備機器からの応答、設備機器の動作状態の異常の有無などを意味する。
【００３２】
ボックス１０２は、金属または合成樹脂を用いて形成されており、施設を構成する建物の壁面などに取り付けられる。ボックス１０２は、壁面などに固定されるボディ（図示せず）と、ボディの前面を覆う扉（図示せず）を備える。要素装置は、ボディに固定されている。
【００３３】
コントローラ１００は、プログラムに従って動作するプロセッサを備えたデバイスを主なハードウェア要素として備える。この種のデバイスの代表はマイコン（Microcontroller）である。ＭＭＩ１０１Ｂは、スイッチと表示灯とを組み合わせた構成、あるいはフラットパネルディスプレイとタッチパネルとを組み合わせた構成が採用される。たとえば、照明設備に対するＭＭＩ１０１Ｂは、点灯と消灯とを指示するスイッチと、点灯と消灯との状態を表示する表示灯とがあればよい。また、給水設備３１、給水設備３２、排水設備３３、空調設備３４に対するＭＭＩ１０１Ｂは、設備機器の動作状態を表示するフラットパネルディスプレイと、動作状態を変更するためのタッチパネルとを備えていることが望ましい。なお、要素装置は、上述した例に限らないが、具体的な構成は要旨ではないから説明を省略する。
【００３４】
ボックス１０２には、施工現場に搬入される前に要素装置が収納される。上述したように、図２に示す管理装置１０のボックス１０２には、要素装置として、コントローラ１００、ブレーカ１０１Ａ、ＭＭＩ１０１Ｂ、Ｉ／Ｆ部１０３が収納されている。ボックス１０２に収納される要素装置の個数および種類は工場出荷時に定められている。言い換えると、既製品としての管理装置１０を用いて施設ごとの管理システムが構築される。
【００３５】
１個のボックス１０２に収納される要素装置の組み合わせは、設備機器の種類に応じてパッケージ化されている。つまり、設備機器が、給水設備３１、給水設備３２、排水設備３３、空調設備３４のうちのいずれであるかに応じて要素装置の種類が定められ、また、接続される設備機器の台数に応じて要素装置の台数が定められる。
【００３６】
ボックス１０２に収納される要素装置の種類および台数は、施設ごとに定められるのではなく、多くの施設で同じボックス１０２が共通に使用可能となるように定められることが望ましい。この場合、ボックス１０２に収納される要素装置の個数および種類は、種々の施設において利用されている設備機器の実績に基づいて、種々の施設で共通化できるように定められる。
【００３７】
つまり、管理装置１０は、施設に応じてボックス１０２に収納する要素装置を定めるのではなく、あらかじめ標準品として数種類程度が用意されていることが望ましい。そのため、施設で使用する設備機器に適合する標準品の管理装置１０を選択するだけで、当該施設における設備機器の管理が可能になる。
【００３８】
ところで、総合管理装置２０は、施設を構成する建物のような所定の空間領域において利用される設備機器を一括して管理する。総合管理装置２０が管理する空間領域は、１つの建物、複数の建物、建物内の１フロア、建物内の１室など、利用者にとって利便性がよいように適宜に設定される。
【００３９】
総合管理装置２０は、図３に示すように、通信路４１に接続される第１のＩ／Ｆ部２０１と、通信路４３に接続される第２のＩ／Ｆ部２０２とを備える。総合管理装置２０は、管理装置１０から受け取った情報を端末装置２２に提示する処理と、端末装置２２からの指示を管理装置１０に通知する処理とを行う総合処理部２００を備える。
【００４０】
総合処理部２００は、管理装置１０から取得した設備機器に関する情報を集約して端末装置２２に提示する機能と、端末装置２２から指示された設備機器の動作状態に関する情報を管理装置１０に通知する機能とを有する。この総合処理部２００は、プログラムに従って動作するプロセッサを備えたデバイスを主なハードウェア要素として備える。この種のデバイスは、マイコンに代表される。
【００４１】
上述した構成により、端末装置２２は、総合管理装置２０を通して設備機器の動作状態を監視することが可能になり、また、総合管理装置２０を通して設備機器に動作状態を指示することが可能になる。
【００４２】
ところで、総合管理装置２０は、管理装置１０との間で情報を授受するために、管理装置１０への問い合わせを行うように構成されている。すなわち、総合管理装置２０は、管理装置１０に対してアクセスすることによって、管理装置１０に指示を与え、管理装置１０から情報を受け取るように構成されている。また、管理装置１０は、制御装置１１に対してアクセスすることによって、制御装置１１に指示を与え、制御装置１１から情報を受け取るように構成されている。
【００４３】
ここで、端末装置２２が総合管理装置２０を通して管理装置１０との間で情報を授受するのに要する時間について検討する。本実施形態において、通信路４１、通信路４２などの通信速度は高々１０Ｍｂｐｓである。この構成において、一例を示すと、管理装置１０が通信路４２を通して１組に含まれるすべての制御装置１１にアクセスするために要する時間は最大で３秒程度である。また、総合管理装置２０に接続可能な最大数の管理装置１０が接続されている場合に、総合管理装置２０がすべての管理装置１０にアクセスするために要する時間は、たとえば最大で１２０秒程度である。
【００４４】
総合管理装置２０が管理装置１０から異常の情報を受け取ってから、総合管理装置２０が警報表示装置１２の警報ランプおよびブザーを動作させるまでに要する時間は最大で１秒程度である。なお、総合管理装置２０と端末装置２２との間の通信に要する時間は５秒以内であり、また、総合管理装置２０と外部入出力器１３との通信に要する時間も５秒以内に設定される。
【００４５】
ここで、総合管理装置２０が管理装置１０に対して順にポーリングを行う場合を想定する。上述した例では、総合管理装置２０がすべての管理装置１０にアクセスするのに要する時間は最大で１２０秒であるから、管理装置１０で異常に関する情報が発生してから警報表示装置１２が動作するまでに、１２０秒以上の時間を要する可能性がある。異常が検出されてから通知されるまでに、このような長い時間を要すると、異常に対する対処に遅れが生じる。
【００４６】
本実施形態は、異常に関する情報のような特定情報については、検出から通知までに大幅な時間遅れが生じないように、総合管理装置２０が管理装置１０に対してアクセスするタイミングを、情報の種類に応じて段階的に変更する構成を採用している。すなわち、管理装置１０から総合管理装置２０に通知される情報が複数種類に分類されている。
【００４７】
情報の種類は３種類以上に分類することが可能であるが、ここでは、説明を簡単にするために、管理装置１０から総合管理装置２０に通知する情報を２種類に分類している。一方の情報は、異常に関する情報のように検出から遅滞なく通知する必要がある特定情報であって、他方の情報は、設備機器の正常な動作時における計測値のように通知のタイミングに緊急性がない一般情報である。
【００４８】
総合管理装置２０は、管理装置１０に対してアクセスする際に、特定情報と一般情報との一方を選択して要求する。一方、管理装置１０のコントローラ１００は、特定情報と一般情報とを分類して管理しており、総合管理装置２０から特定情報が要求されると特定情報のみを返し、一般情報が要求されると一般情報のみを返す。なお、コントローラ１００は、一般情報が要求されたときに、一般情報に加えて特定情報を返すように構成されていてもよい。
【００４９】
管理装置１０から総合管理装置２０に対して、特定情報と一般情報とのどちらを通知するかは、総合管理装置２０から管理装置１０に対して送信されるコマンドにより指示される。すなわち、総合管理装置２０は、管理装置１０に対して、特定情報と一般情報とのどちらの情報を要求するかをコマンドによって指示する。なお、総合管理装置２０は、管理装置１０に対して設備機器の動作を指示する情報を適宜のタイミングで送信することが可能である。
【００５０】
総合管理装置２０が管理装置１０に対してアクセスする際のパケットは、固定長と可変長とのいずれでもよいが、ペイロードの最大長（最大ビット数）は制限されていることが望ましい。ペイロードの最大長は、特定情報を送信するパケットについては、１パケットで特定情報のみを伝送するのに必要なビット数に設定される。
【００５１】
ところで、一般情報は、設備機器に関する計測値などを含む場合があり、特定情報は、異常の発生などの情報のみであるから、多くの場合、特定情報の情報量よりも一般情報の情報量のほうが多い。このことから、一般情報を送信するパケットにおけるペイロードの最大長は、特定情報を送信するパケットにおけるペイロードの最大長よりも大きくすることが望ましい。以下では、一般情報と特定情報とが、それぞれ固定長のパケットを用いる場合を想定する。一般情報のペイロードのビット数は、たとえば、特定情報のペイロードのビット数の２倍以上に設定される。
【００５２】
総合管理装置２０は、特定情報を要求する際には、通信路４１に接続されているすべての管理装置１０に対して１回ずつアクセスする。すなわち、図４に示すように、総合管理装置２０は、通信路４１に接続されたすべての管理装置１０に対して１台ずつ特定情報の返送を要求するポーリングを行い、特定情報の返送を要求した個々の管理装置１０から応答を受け取る。図４では、総合管理装置２０から管理装置１０に対する情報の要求と、管理装置１０から総合管理装置２０に対する応答である情報の通知とを、まとめて双方向の矢印で示している。
【００５３】
図１に示した例のように、総合管理装置２０に対して１４台の管理装置１０が接続されている場合、総合管理装置２０は、特定情報の要求と特定情報の応答とを１４回繰り返すことにより、すべての管理装置１０から特定情報を取得する。
【００５４】
なお、総合管理装置２０から管理装置１０に対して特定情報の送信を要求するパケットと、管理装置１０からの応答を返すパケットとは別であることを想定している。つまり、総合管理装置２０は、特定情報を要求するパケットの送信から所定の時間内に管理装置１０が送出したパケットを受信する。
【００５５】
ただし、総合管理装置２０から管理装置１０に対して送出したパケットに、返信用のタイムスロットを設け、このタイムスロットにおいて管理装置１０から総合管理装置２０への情報の受け渡しを行う構成を採用してもよい。この構成を採用する場合、たとえば、総合管理装置２０から管理装置１０に対する情報は、通信路４１を構成する線間の電圧値をデジタル値に対応付けたベースバンド信号を用いて送信すればよい。一方、管理装置１０から総合管理装置２０に対する情報は、通信路４１を通過する電流値をデジタル値に対応付けた信号を用いて送信すればよい。
【００５６】
特定情報のペイロードに含まれる情報量は、一般情報に比べて少ない。したがって、１４台の管理装置１０に１回ずつアクセスしても、すべての管理装置１０から特定情報を取得するのに要する時間は、情報を区別しない場合に比較して大幅に短縮される。特定情報を取得するためのポーリングは、たとえば８秒周期で定期的に繰り返される。総合管理装置２０は、管理装置１０から特定情報を取得した後、取得した特定情報を警報表示装置１２に通知する。
【００５７】
一方、総合管理装置２０から管理装置１０に対する一般情報の問い合わせは、すべての管理装置１０に特定情報の有無を問い合わせた後、次に特定情報を問い合わせるまでの期間に行われる。つまり、管理装置１０ごとに一般情報を要求し、指定した管理装置１０から応答を受け取る。上述のように特定情報を取得するためのポーリングが８秒周期であり、すべての管理装置１０に対して特定情報の有無を問い合わせる期間が、たとえば１秒であれば、次に特定情報の有無を問い合わせるまでの７秒間に一般情報を取得するために、総合管理装置２０は管理装置１０にアクセスする。
【００５８】
以下では、総合管理装置２０が、管理装置１０に一般情報を要求し、要求に対する応答を受け取って、端末装置２２に引き渡すまでの期間を第１期間Ｔ１と呼ぶ。また、総合管理装置２０が、すべての管理装置１０に対して特定情報を要求し、要求に対する応答を受け取って警報表示装置１２に通知するまでの期間を第２期間Ｔ２と呼ぶ。上述のように、８秒周期で第１期間Ｔ１と第２期間Ｔ２とが繰り返す場合、第１期間Ｔ１には約７秒、第２期間Ｔ２には約１秒が割り当てられる。
【００５９】
第１期間Ｔ１は、総合管理装置２０が１台分の管理装置１０の一般情報を収集するのに必要十分な期間として定められる。同様に、第２期間Ｔ２は、総合管理装置２０がすべての管理装置１０から特定情報を収集するのに必要十分な期間として定められる。
【００６０】
図４に示す動作を行うために、総合管理装置２０の総合処理部２００は、図５のように動作する。総合処理部２００は、通信路４１を介して接続された管理装置１０のいずれかのアドレスを用いて、管理装置１０に一般情報を要求するために管理装置１０にアクセスする（Ｓ１１）。つまり、管理装置１０に送信するパケットは、一般情報の返送を要求するコマンドを含んでいる。このパケットを受け取った管理装置１０は、総合管理装置２０に一般情報を返送する。総合処理部２００は、管理装置１０から一般情報を受け取ると（Ｓ１２：ｙｅｓ）、端末装置２２に一般情報を表示させる（Ｓ１３）。
【００６１】
総合管理装置２０は、１回の第１期間Ｔ１には、１台の管理装置１０にのみ一般情報を要求するパケットを送信する。ただし、総合管理装置２０は、一般情報を要求するパケットを、１回の第１期間Ｔ１において、１台の管理装置１０に複数回送信してもよい。たとえば、１台の管理装置１０が送信する一般情報の情報量が１つのパケットで送信可能な情報量を超える場合、管理装置１０は、一般情報を複数のパケットに分けて送信することが可能である。
【００６２】
総合処理部２００は、管理装置１０に一般情報を要求し、管理装置１０から一般情報を受け取って警報表示装置１２に表示させた後、第２期間Ｔ２になると、特定情報を要求するために管理装置１０にアクセスする（Ｓ１４）。つまり、このときに総合処理部２００が管理装置１０に送信するパケットは、管理装置１０に特定情報の返送を要求するコマンドを含んでいる。このパケットを受け取った管理装置１０は、総合管理装置２０に特定情報を返送する。特定情報を総合処理部２００が受け取ると（Ｓ１５：ｙｅｓ）、総合処理部２００は、警報表示装置１２に特定情報を送信し、特定情報の内容を警報表示装置１２に表示させる（Ｓ１６）。
【００６３】
第２期間Ｔ２が終了すると、総合処理部２００は、管理装置１０のアドレスを変更して（Ｓ１７）、他の管理装置１０にアクセスする（Ｓ１１）。管理装置１０にアクセスする順番は、あらかじめ定められている。たとえば、２組の給水設備３１に対応する２台の管理装置１０にアクセスした後、２組の給水設備３２に対応する２台の管理装置１０にアクセスするというように、総合管理装置２０は、第１期間Ｔ１ごとに１台の管理装置１０にアクセスする。
【００６４】
ここで、管理装置１０に対するポーリングを順番に行う場合に、すべての管理装置１０から情報を取得するために、たとえば１２０秒を要していたと仮定する。図４に示す動作を行うと、特定情報と一般情報との両方をすべての管理装置１０から取得するためには１２０秒よりも多くの時間を要するが、この期間に、特定情報を取得する頻度は１５回を超える。したがって、管理装置１０が設備機器などの異常を検出したときに、総合管理装置２０には遅滞なく（たとえば、８秒以内に）通知されるようになる。
【００６５】
なお、特定情報を優先的に扱うようにし、総合管理装置２０と管理装置１０との間で、特定情報を受け渡す頻度を一般情報を受け渡す頻度に比べて増やしたので、総合管理装置２０がすべての一般情報を取得するのに要する時間は増加する。ただし、上述のように、一般情報は特定情報に比較すれば、時間の遅延が許容される。とくに、設備機器が正常に動作している期間に、一般情報は確認のために必要になるだけであるから、一般情報に少しの時間遅れが発生することに支障は生じない。
【００６６】
以上のように、総合管理装置２０は、情報の種類に応じて管理装置１０にアクセスする頻度を段階的に変化させ、かつ情報のうちの特定情報を要求するために、すべての管理装置１０を対象として定期的にポーリングを行う。そのため、特定情報として定めた情報については、総合管理装置２０から管理装置１０に対して通知を要求する頻度が他の情報よりも多くなり、結果的に、総合管理装置２０は、特定情報を迅速に取得することが可能になる。すなわち、特定情報は、総合管理装置２０を通して利用者に迅速に通知することが可能になる。しかも、総合管理装置２０は、情報の種類に応じて管理装置１０にアクセスする頻度を段階的に変化させているから、該当する情報の取得を要求するまでの最大時間が調節され、結果的に、情報の種類に応じて通知に要する最大時間が調節可能になる。
【００６７】
ところで、上述した構成例において、総合管理装置２０が管理装置１０から受け取る情報を特定情報と一般情報との２種類に分類しているが、情報の種類は３種類以上に分類することが可能である。特定情報は、上述のように、第２期間Ｔ２において、総合管理装置２０がすべての管理装置１０にアクセスして取得する情報を意味している。したがって、情報の種類が３種類以上に分類される場合は、一般情報が２種類以上に分類されることになる。
【００６８】
情報の種類が３種類以上に分類される場合、各情報には、たとえば表１のように、優先順位を付与するための情報評価値が設定される。情報評価値は、正の整数値であって、値が大きいほど優先順位が高くなる。情報評価値の最大値は「５」であり、情報評価値が「５」である場合に特定情報として扱われる。情報評価値を定めたデータテーブルは、総合管理装置２０に設けられた記憶部２０３に格納される。
【００６９】
【表１】
2016005012.tif 000003
総合処理部２００は、情報評価値が大きいほど、総合管理装置２０と管理装置１０との間で情報を受け渡す頻度を高くするように構成される。情報評価値が「４」以下である情報については、総合管理装置２０は、第１期間Ｔ１において、１台の管理装置１０から一般情報の優先順位に応じて一部を取得することが可能になっている。そのため、第２期間Ｔ２は、上述した構成例よりも短縮することが可能になる。
【００７０】
たとえば、総合管理装置２０は、図６に示すように、第１期間Ｔ１において、１９個のパケットを１台の管理装置１０に送信すると仮定する。また、優先順位が４段階に設定され、一般情報については３段階の情報評価値が設定されていると仮定する。
【００７１】
図６に示す例において、総合管理装置２０は、優先順位がもっとも高い一般情報を要求する通信（実線）を３回ずつまとめて４回行っている。総合管理装置２０は、優先順位が２番目に高い一般情報を要求する通信（一点鎖線）を、３回の通信（実線）の前後に行っており、優先順位がもっとも低い一般情報を要求する通信（破線）を、第１期間Ｔ１の最初と最後に行っている。したがって、第１期間Ｔ１において、優先順位が高いほうから順に、１２回の通信（実線）、５回の通信（一点鎖線）、２個の通信（破線）の期間が割り当てられている。ここに、１回の通信の期間は、一般情報を要求するパケットを総合管理装置２０から管理装置１０に送信する期間と、この要求に対して管理装置１０から総合管理装置２０への応答が返される期間とを含む。
【００７２】
図６に示す例は、一般情報を複数種類に分類する場合を想定しているが、特定情報について１台の管理装置１０にアクセスする際に、情報の種類に応じてアクセスの頻度を変更してもよい。
【００７３】
ところで、記憶部２０３に格納されるデータテーブルの情報評価値は、利用者が端末装置２２などを用いて設定することが可能であるが、３段階以上の優先順位を用いる場合、情報評価値が自動的に設定されることが望ましい。そのため、総合処理部２００は、管理装置１０との通信に関連して生じた事象を記憶部２０３に記録する機能を有する。
【００７４】
総合処理部２００は、端末装置２２などの他装置からの指示によって管理装置１０にアクセスした回数または頻度を情報ごとに記憶部２０３に記憶させる機能を有する。また、総合処理部２００は、管理装置１０から異常に関する情報を受け取った回数または頻度を情報ごとに記憶部２０３に記憶する機能を有することが望ましい。さらに、総合処理部２００は、記憶部２０３が一定期間に記憶した回数または頻度を情報評価値に変換する機能を有する。この一定期間は、たとえば、１日、１週間、１ヶ月、１年などから選択される。ただし、この期間が長いと記録する情報量が増加し、ハードウェア資源に不足が生じる可能性があるから、一定期間は、１日あるいは１週間に設定することが望ましい。
【００７５】
総合処理部２００は、記録された回数または頻度を情報ごとに評価し、一定期間ごとの回数または頻度が増加した割合が基準値以上である場合に、該当する情報の優先順位を高めるようにデータテーブルの情報評価値を変更する。総合処理部２００は、記憶部２０３に記録された回数または頻度が減少した割合が基準値以上である場合には、該当する情報の優先順位を下げるようにデータテーブルの情報評価値を変更してもよい。基準値は、たとえば１０％などに設定しておけばよい。すなわち、総合処理部２００は、１日あるいは１週間において記録された回数または頻度の増加または減少の割合が、基準値以上である場合に、該当する情報に対応する情報評価値を変更する。
【００７６】
表１に示したデータテーブルは、通信異常に関する情報を特定情報とし、ポンプ状態監視およびポンプ異常は、一般情報として扱うから、図４に示す動作に対応している。これに対して、図６に示す動作のように、情報に多段階の優先順位を設定する場合には、表２のように、情報の種類ごとに情報評価値を設定すればよい。
【００７７】
【表２】
2016005012.tif 000004
表２では、記憶部２０３は、メモリのアドレス順において、情報の種類を格納した領域の次の領域に、当該情報に対する情報評価値を格納している。ここに、表２に示す形式でデータを格納すると、記憶部２０３に格納されたデータはリンク構造になる。また、情報ごとに情報評価値が設定されるから、情報評価値は情報の種類と同じ数だけ記憶部２０３に設定することが必要である。
【００７８】
一方、情報の種類について類別を行い、類別ごとに情報評価値を設定してもよい。すなわち、表３のように、情報の種類について、たとえば「電圧」「電流」「ポンプ状態」の類別を行い、表４のように、「電圧」「電流」「ポンプ状態」の類別ごとに情報評価値を設定してもよい。
【００７９】
【表３】
2016005012.tif 000005
【００８０】
【表４】
2016005012.tif 000006
この場合、表２のように情報の種類ごとに情報評価値を設定する場合に比較すると、情報評価値の変更時に表４の内容を修正すればよく、多種類の情報について情報評価値を変更する場合に、情報評価値の変更に伴う作業量が低減される。また、表２の形式で記憶部２０３にデータを格納する場合には、リンク構造を採用することが望ましいが、表３、表４の形式で記憶部２０３にデータを格納する場合には、アレイ構造を採用することが望ましい。
【００８１】
情報の種類に対して情報評価値が設定されている場合、総合処理部２００は、特定情報として扱う情報を、情報評価値に基づいて自動的に選択してもよい。ここでは、総合処理部２００は、記憶部２０３に設定された情報評価値のうち上位の規定個数に対応する情報を特定情報に定める。この構成を採用すると、利用者が必要とする頻度の高い情報が特定情報として自動的に選択されることになり、管理装置１０を利用する現場に適合した動作が可能になる。
【００８２】
いま、情報評価値が「１」から「５」の５段階で表され、記憶部２０３に記憶された情報の中で、情報評価値が「５」である情報が２種類、情報評価値が「４」である情報が１種類、情報評価値が「３」である情報が４種類であると仮定する。規定個数が５個である場合、総合処理部２００は、特定情報として扱う情報の種類が５個以下になるように情報を選択する。したがって、上述した例では、情報評価値が「５」と「４」との情報が特定情報として選択され、特定情報としての情報の種類は合計３種類になる。
【００８３】
上述した設備機器の管理システムは、複数台の管理装置１０と総合管理装置２０とを備える。管理装置１０は、設備機器を管理する。総合管理装置２０は、通信路４１を通して管理装置１０にアクセスすることにより、管理装置１０から情報を受け取る。情報は複数種類に分類されている。総合管理装置２０は、管理装置１０にアクセスする頻度を情報の種類に応じて段階的に変化させ、情報のうちの特定情報については、すべての管理装置１０に定期的にアクセスする。
【００８４】
この構成によれば、情報を複数種類に分類しており、情報のうちの特定情報は、すべての管理装置１０に定期的にアクセスするから、特定情報については他の情報よりもアクセスの頻度が高くなり、結果的に特定情報を迅速に取得することが可能になる。また、総合管理装置２０が管理装置１０にアクセスする頻度を情報の種類に応じて段階的に変化させるから、情報の種類に応じて通知に要する最大時間の調節が可能になる。
【００８５】
情報の種類は、特定情報と、特定情報を除く一般情報とに分類され、特定情報は、管理装置１０が認識する異常に関する情報を含むことが望ましい。
【００８６】
すなわち、管理装置１０が認識する異常に関する情報が特定情報に含まれることによって、総合管理装置２０は、異常に関する情報に対するアクセスの頻度を高め、結果的に異常に関する情報を迅速に取得することが可能になる。
【００８７】
総合管理装置２０は、情報の種類に応じて情報評価値が設定された記憶部２０３と、記憶部２０３が記憶している情報評価値に応じて管理装置１０にアクセスする頻度を情報の種類ごとに定める総合処理部２００とを備えることが望ましい。
【００８８】
この構成によれば、総合管理装置２０が管理装置１０にアクセスする頻度を、情報評価値を用いて情報の種類ごとに自動的に定めることが可能になる。
【００８９】
総合処理部２００は、他装置からの要求に応じて管理装置１０から情報を取得し、かつ情報の種類ごとに他装置からの要求の回数または頻度を記憶部２０３に記憶させる機能を有することが望ましい。加えて、総合処理部２００は、記憶部２０３が記憶している情報の種類ごとの要求の回数または頻度を、情報評価値に変換する機能を有することが望ましい。
【００９０】
この構成では、他装置から要求される回数あるいは頻度が高い情報を用いて情報評価値を求めるから、総合管理装置２０から管理装置１０にアクセスする頻度が、設備機器を利用する現場に適合するように定められる。
【００９１】
また、総合処理部２００は、上述した機能に加えて、管理装置１０が認識する異常に関する情報を受け取った回数または頻度を記憶部２０３に記憶させる機能を有することが望ましい。
【００９２】
この構成では、他装置から要求される回数あるいは頻度が高い情報だけではなく、管理装置１０が認識する異常が発生した回数または頻度も用いて情報評価値を求めるから、異常の発生を加味して情報評価値を定めることが可能になる。
【００９３】
総合処理部２００は、記憶部２０３に設定された情報評価値のうち上位の規定個数に対応する情報を特定情報に定める機能を有することが望ましい。
【００９４】
すなわち、特定情報として情報評価値が上位である規定個数の情報が採用されるから、アクセスの頻度を高める特定情報を自動的に設定することが可能である。しかも、情報評価値を用いて特定情報を選択するから、特定情報が適正に設定される。
【００９５】
以上説明したように、本実施形態における設備機器の管理方法では、設備機器を管理する複数台の管理装置１０に総合管理装置２０が通信路４１を通してアクセスすることにより、総合管理装置２０が管理装置１０から情報を受け取る。情報は複数種類に分類されており、総合管理装置２０は、管理装置１０にアクセスする頻度を情報の種類に応じて段階的に変化させ、かつ情報のうちの特定情報については、すべての管理装置１０に定期的にアクセスする。
【００９６】
以上説明したように、本実施形態における総合管理装置２０は、総合処理部２００とインターフェイス部２０１と記憶部２０３とを備える。インターフェイス部２０１は、設備機器を管理する複数台の管理装置１０と通信路４１を通して通信する。総合処理部２００は、通信路４１を通して管理装置１０にアクセスすることにより、管理装置１０から情報を受け取る。記憶部２０３は、情報が複数種類に分類されており、情報の種類に応じて情報評価値が設定されている。総合処理部２００は、記憶部２０３が記憶している情報評価値に応じて管理装置１０にアクセスする頻度を情報の種類に応じて段階的に変化させ、情報のうちの特定情報については、すべての管理装置１０に定期的にアクセスするように構成されている。
【００９７】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００９８】
１０  管理装置
２０  総合管理装置
２２  端末装置（他装置）
４１  通信路
２０３  記憶部
２００  総合処理部
２０１  第１のＩ／Ｆ部（インターフェイス部）
【図１】
2016005012.tif 000007
【図２】
2016005012.tif 000008
【図３】
2016005012.tif 000009
【図４】
2016005012.tif 000010
【図５】
2016005012.tif 000011
【図６】
2016005012.tif 000012